【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
電解質で浸潤された少なくとも１枚の多孔質フィルムと、
前記多孔質フィルムの第１表面の上に配置されている離隔電極の１つ又はそれ以上の対であって、各電極が下層の多孔質フィルムとイオン連通する容量性電極材料を備える、離隔電極の対と、
を備えていて、
前記電解質が前記離隔電極間に前記多孔質フィルムの内部孔隙を介してイオン連通を提供する、
容量性エネルギー貯蔵デバイス。
【請求項２】
前記離隔電極の対は、約５０ミクロン未満の、望ましくは３０ミクロン未満の電極間離隔距離を有している、請求項１に記載の容量性エネルギー貯蔵デバイス。
【請求項３】
前記離隔電極の対は、前記多孔質フィルムの厚さより小さい電極間離隔距離を有している、請求項１又は請求項２に記載の容量性エネルギー貯蔵デバイス。
【請求項４】
前記離隔電極の対は、２本から６本のフィンガを有する櫛型電極を備えている、請求項１から請求項３の何れか一項に記載の容量性エネルギー貯蔵デバイス。
【請求項５】
前記フィンガは約５０ミクロン未満の幅と約２５０ミクロン未満の長さを有している、請求項４に記載の容量性エネルギー貯蔵デバイス。
【請求項６】
前記電極は、金属製電流コレクタ無しに、隣接する電極及び／又は外部経路へ電気的に接続される、請求項１から請求項５の何れか一項に記載の容量性エネルギー貯蔵デバイス。
【請求項７】
前記多孔質フィルムの前記第１表面の上には、前記離隔電極の複数対が直列及び／又は並列に電気的に接続されて配置されている、請求項１から請求項６の何れか一項に記載の容量性エネルギー貯蔵デバイス。
【請求項８】
前記離隔電極の前記複数対は前記多孔質フィルムの前記第１表面上の伝導性リンケージによって電気的に接続されており、前記伝導性リンケージは容量性電極材料を備えている、請求項７に記載の容量性エネルギー貯蔵デバイス。
【請求項９】
複数の多孔質フィルムが積重されており、当該複数の多孔質フィルムは、第１の多孔質フィルムの前記第１表面の上に配置されている前記離隔電極の１つ又はそれ以上の対が前記第１の多孔質フィルムより上に積重されている第２の多孔質フィルムの裏表面と接触するように、且つ望ましくはイオン連通するように積重されている、請求項１から請求項８の何れか一項に記載の容量性エネルギー貯蔵デバイス。
【請求項１０】
前記第１の多孔質フィルムの前記第１表面の上に配置されている前記離隔電極の少なくとも１つは、伝導性経路を介して、前記第２の多孔質フィルムの前記第１表面の上に配置されている前記離隔電極の少なくとも１つと電気的に接続されている、請求項９に記載の容量性エネルギー貯蔵デバイス。
【請求項１１】
前記少なくとも１枚の多孔質フィルムは、１００ミクロン未満、望ましくは５０ミクロン未満の厚さを有する可撓性高分子膜である、請求項１から請求項１０の何れか一項に記載の容量性エネルギー貯蔵デバイス。
【請求項１２】
前記容量性電極材料は還元された酸化グラフェンを備えている、請求項１から請求項１１の何れか一項に記載の容量性エネルギー貯蔵デバイス。
【請求項１３】
第１の多孔質フィルムと、
前記第１の多孔質フィルムの第１表面の上に配置されている離隔電極の１つそれ以上の対であって、各電極が前記下層の第１の多孔質フィルムとイオン連通する容量性電極材料を備えている、離隔電極の対と、
前記第１の多孔質フィルムより上に積重されている第２の多孔質フィルムであって、前記第１の多孔質フィルムの前記第１表面の上に配置されている前記離隔電極の前記１つ又はそれ以上の対が当該第２の多孔質フィルムの裏表面と接触するように積重されている、第２の多孔質フィルムと、
前記第１及び前記第２の多孔質フィルムの内部孔隙内の電解質と、
を備えている積重型容量性エネルギー貯蔵デバイス。
【請求項１４】
前記容量性電極材料は前記第２の多孔質フィルムの前記裏表面とイオン連通している、請求項１３に記載の積重型容量性エネルギー貯蔵デバイス。
【請求項１５】
前記電解質は前記離隔電極間に前記第１及び前記第２の多孔質フィルムの内部孔隙を介してイオン連通を提供する、請求項１４に記載の積重型容量性エネルギー貯蔵デバイス。
【請求項１６】
前記第２の多孔質フィルムの第１表面の上に配置されている離隔電極の１つ又はそれ以上の対であって、各電極が前記下層の第２の多孔質フィルムとイオン連通する容量性電極材料を備えている、離隔電極の対、を更に備えている請求項１３から請求項１５の何れか
一項に記載の積重型容量性エネルギー貯蔵デバイス。
【請求項１７】
前記第１の多孔質フィルムの前記第１表面の上に配置されている前記離隔電極の少なくとも１つは、伝導性経路を介して、前記第２の多孔質フィルムの前記第１表面の上に配置されている前記離隔電極の少なくとも１つと電気的に接続されている、請求項１６に記載の積重型容量性エネルギー貯蔵デバイス。
【請求項１８】
容量性エネルギー貯蔵デバイスを作製する方法であって、
前記第１表面の上に配置される離隔電極の１つ又はそれ以上の対を形成するために容量性電極材料又は先駆物質を多孔質フィルムの第１表面へ塗布する段階と、
前記多孔質フィルムを電解質で浸潤させる段階と、
を備えており、
前記電解質が前記離隔電極間に前記多孔質フィルムの内部孔隙を介してイオン連通を提供する、
方法。
【請求項１９】
前記容量性電極材料又は前記先駆物質を備えるインクが前記第１表面上へ印刷される、請求項１８に記載の方法。
【請求項２０】
前記方法は、前記第１表面上へ印刷するための前記インクを提供する段階を更に備えており、前記インクを提供する段階は、その粘度を高めるために前記容量性電極材料又は前記先駆物質の分散体を濃縮する段階を備えている、請求項１９に記載の方法。
【請求項２１】
前記離隔電極は、約５０ミクロン未満、望ましくは３０ミクロン未満の電極間離隔距離を有している、請求項１８から請求項２０の何れか一項に記載の方法。
【請求項２２】
前記容量性電極材料又は前記先駆物質を塗布する段階は、前記多孔質フィルムの前記第１表面の上に配置される前記離隔電極の複数対を形成する段階を備えており、前記離隔電極の前記複数対は前記容量性電極材料又は前記先駆物質を備えるリンケージによって直列及び／又は並列に接続される、請求項１８から請求項２１の何れか一項に記載の方法。
【請求項２３】
複数の多孔質フィルムを積重する段階であって、第１の多孔質フィルムの前記第１表面の上に配置されている前記離隔電極の前記１つ又はそれ以上の対が前記第１の多孔質フィルムより上に積重される第２の多孔質フィルムの裏表面と接触するように、且つ望ましくはイオン連通するように積重する段階、を更に備えている請求項１８から請求項２２の何れか一項に記載の方法。
【請求項２４】
伝導性経路を介して、前記第１の多孔質フィルムの前記第１表面の上に配置されている前記離隔電極の少なくとも１つを、前記第２の多孔質フィルムの前記第１表面の上に配置されている前記離隔電極の少なくとも１つと電気的に接続する段階、を更に備えている請求項２３に記載の方法。
【請求項２５】
前記容量性電極材料又は前記先駆物質は酸化グラフェンを備えており、前記方法は、還元された酸化グラフェンを生成するために前記多孔質フィルムの前記第１表面上の前記酸化グラフェンを還元する段階を備えている、請求項１８から請求項２４の何れか一項に記載の方法。